(57)【要約】【課題】単一の歯科用超音波治療器を用いて、超音波による歯周・根管治療と、治療後の殺菌をも行えるようにした。【解決手段】超音波振動子を内蔵する超音波ハンドピース１０と、該超音波ハンドピース１０に着脱自在に装着される超音波チップ２０とを有する。超音波ハンドピースの先端部に光源１１を、超音波チップ２０の先端部近傍に液体放出口２１を有し、超音波治療後、液体放出口２１より光感受性物質液を放出し、次いで、光源１１より光を照射して、超音波治療後の箇所を殺菌する。【選択図】図１
2013102847.tif 000002
【特許請求の範囲】
【請求項１】
超音波振動子を内蔵する超音波ハンドピースと、該超音波ハンドピースに着脱自在に装着される超音波チップとを有する歯科用超音波治療器において、前記超音波ハンドピースの先端部に光源を、前記超音波チップの先端部近傍に液体放出口を有することを特徴とする歯科用超音波治療器。
【請求項２】
前記超音波チップから放出される液体は、光感受性物質液又は洗浄水・冷却水であることを特徴とする請求項１に記載の歯科用超音波治療器。
【請求項３】
前記光源から照射される光（ＬＥＤ、レーザ等）は、前記超音波チップから放出される液体が、光感受性物質液である時、洗浄水・冷却水の時それぞれに合った波長、出力の光であることを特徴とする請求項２に記載の歯科用超音波治療器。
【請求項４】
前記ハンドピースの先端部に、光感受性物質液放出口及び洗浄水・冷却水放出口を有することを特徴とする請求項１乃至３のいずれかに記載の歯科用超音波治療器。
【発明の詳細な説明】
【技術分野】
【０００１】
本発明は、歯科用超音波治療器、より詳細には、超音波による歯周・根管治療と、治療部の殺菌をも行えるようにした歯科用超音波治療器に関する。
【背景技術】
【０００２】
歯科治療において、従来、超音波により歯周、根管治療（歯石除去等）を行った後に、光（ＬＥＤ、レーザ）と薬液との組み合わせによる殺菌治療（ａＰＤＴ：antimicrobial Photo Dynamic Therapy）を行っている。
【０００３】
ＰＤＴ（光線力学的療法）は、光感受性物質を生体内に投与した後、レーザ光等である波長の光を照射することで前記光感受性物質を活性化させて薬理作用を得る治療法で、医科では、肺がん・黄斑変性などの治療に応用されている。ＰＤＴの中でも、抗菌目的で行われるものをａＰＤＴ（抗菌光線力学的療法）といい、標的細菌を薬液で染色して光感受性を励起した後に、これに反応する光をアクチベータとして照射して殺菌するものである。
【０００４】
而して、歯科治療において、ａＰＤＴ治療を行うには、まず、超音波治療器により歯周、根管の治療を行い、次いで、光感受性薬液（バイオジェル）を供給し、その後、２２０ｍｗ程度の弱いレーザ光（６７０ｎｍ）等の光の照射を行わなければならないが、これら一連の作業を行うに当り、その都度、治療器具を取り替えなければならず、その取り替え作業が面倒であり、また、時間の浪費でもあった。
【発明の概要】
【発明が解決しようとする課題】
【０００５】
本発明は、上述のごとき実情に鑑みてなされたもので、前述のａＰＤＴを行うに当り、単一の器具で、超音波による治療、薬液の供給、光の照射による殺菌を行えるようにすることを目的としてなされたものである。
【課題を解決するための手段】
【０００６】
上記課題を解決するために、請求項１の発明は、超音波振動子を内蔵する超音波ハンドピースと、該超音波ハンドピースに着脱自在に装着される超音波チップとを有する歯科用超音波治療器において、前記超音波ハンドピースの先端部に光源を、前記超音波チップの先端部近傍に液体放出口を有することを特徴としたものである。
【０００７】
請求項２の発明は、請求項１の発明において、前記超音波チップから放出される液体は、光感受性物質液又は洗浄水・冷却水であることを特徴としたものである。
【０００８】
請求項３の発明は、請求項２の発明において、前記光源から照射される光（ＬＥＤ、レーザ等）は、前記超音波チップから放出される液体が、光感受性物質液である時、洗浄水・冷却水の時それぞれに合った波長、出力の光であることを特徴としたものである。
【０００９】
請求項４の発明は、請求項１乃至３のいずれかの発明において、前記ハンドピースの先端部に、光感受性物質液放出口及び洗浄水・冷却水放出口を有することを特徴としたものである。
【発明の効果】
【００１０】
本発明によると、歯科治療において、ａＰＤＴを行うに当り、歯周の治療、治療後の殺菌を単一の器具で行うことができ、器具を取り替える必要がなく、一連の作業を効果的に行うことができる。
【図面の簡単な説明】
【００１１】
【図１】本発明による歯科用超音波治療器の一実施例を説明するための全体構成図である。
【図２】本発明による歯科用超音波治療器の要部断面構成を示す図である。
【図３】超音波振動子と超音波チップの連結を説明するための図である。
【発明を実施するための形態】
【００１２】
図１は、本発明による歯科用多目的超音波治療器の一実施例を説明するための全体外観図で、図中、１０は、内部に超音波振動子等を含む周知の超音波ハンドピースで、該超音波ハンドピース１０には、周知のように、超音波チップ２０が着脱自在に装着され、該超音波チップ２０によって歯周や根管の治療（歯石除去等）が行われる。
【００１３】
本発明は、上述のごとき周知の超音波治療器において、ハンドピース１０の先端部には光源（ＬＥＤ、レーザ等）１１を設け、超音波チップ２０には薬液放出口２１を設け、治療後の箇所に薬液を供給し、次いで、光を照射することによって殺菌を可能にしている。
【００１４】
図２は、上述のごとき本発明による歯科用超音波治療器の要部断面構成を示す図で、ハンドピース１０内には、超音波振動子１が設けられ、該振動子１の振動が超音波振動体２を通して超音波チップ２０に伝達される。３は超音波振動子１を励振するための電源線、４は多数本の光ファイバから成り、該光ファイバを通して伝達されてきたレーザ光は、図１に示したように、ハンドピース１０の先端から光源１１として照射される。なお、光源１１としてＬＥＤを用いる場合には、前記ファイバ４に代って電線を用い、該電線を通してＬＥＤを点灯制御するようにしてもよい。
【００１５】
５は薬液供給チューブで、該薬液供給チューブ５を通して伝送されてきた薬液は、超音波振動体２の軸心に設けられた軸孔２’内に導入され、該軸孔２’を通して超音波チップ２０の軸孔２０’内に導入される。
【００１６】
図３は、超音波振動子１と超音波チップ２０の連結を説明するための図で、超音波振動子１に一体的に連結された超音波振動体２の先端部側には、前述の軸孔２’が設けられており、この軸孔２’の内壁には雌ネジ２ａが設けられており、この雌ネジ２ａに超音波チップ２０に設けられた雄ネジ２０ａが螺合されて、超音波振動子１の振動が超音波チップ２０に伝達される。超音波振動体２の側面には、薬液供給用の孔２ｂが設けられており、この孔２ｂを通してチューブ５を通して伝送されてきた薬液が超音波振動体２の軸孔２’を通して超音波チップ２０の軸孔２０’内に伝達され、該超音波チップ２０の先端部近傍に設けられた孔２１を通して治療箇所に供給される。
【００１７】
なお、以上には、超音波チップ２０から薬液を供給した後、弱いパワーのレーザ光又はＬＥＤ光を照射してａＰＤＴを行う例について説明したが、薬液に代って洗浄水を供給し、治療箇所を洗浄した後に４０５ｎｍ程度の波長の強パワーのレーザ光又はＬＥＤ光を照射して殺菌を行うようにしてもよい。換言すれば、超音波チップ２０から放出される液が、光感受性物質液であるが、洗浄水・冷却水であるかにより、それに合った波長、パワーの光を用いる。更には、別途水供給回路を設け、ハンドピース１０の先端から放水するようにしてもよい。
【００１８】
上述のように、本発明によると、単一の歯科用超音波治療器を用いて、歯周、根管治療（歯石除去等）、及び、治療後の殺菌又は洗浄等を行うことができ、効果的に歯科治療を行うことができる。
【符号の説明】
【００１９】
１…超音波振動子、２…超音波振動体、２ａ…雌ネジ、２ｂ…側孔、１０…超音波ハンドピース、１１…光源、１３…薬液供給チューブ、２０…超音波チップ、２０’…軸孔、２０ａ…雄ネジ、２１…薬液放出口。
【図１】
2013102847.tif 000003
【図２】
2013102847.tif 000004
【図３】
2013102847.tif 000005